(57)【要約】【課題】本発明はスピニングリールのローターに関し、ローターの軽量化を確保しつつ、ローターの胴部の強度低下の防止と、水や塵などの異物のローター内部への侵入防止を目的とする。【解決手段】請求項１に係わる発明は、スピニングリールにおいてリール本体の前方に回転可能に支持されたローターの胴部に、軽量化のために貫通穴を設けたもの、もしくは肉厚を薄くしたものにおいて、その胴部の強度低下の防止と水や塵などの異物のローター内部への侵入防止のために、円筒状部材を装着したことを特徴とする。【選択図】図２
2010172222.tif 000002
【特許請求の範囲】
【請求項１】
リール本体に回転可能に支持されたローターの胴部に軽量化のために貫通穴を設けたもの、もしくは肉厚を薄くしたものにおいて、胴部の強度低下の防止と異物の内部への侵入防止のために円筒状部材を装着したことを特徴とする魚釣用スピニングリールのローター。
【請求項２】
前記円筒状部材をローター胴部の内側に、固定部材をもちいて固定した請求項１に記載の魚釣用スピニングリールのローター。
【請求項３】
前記円筒状部材をローター胴部の外側に固定部材をもちいて固定した請求項１に記載の魚釣用スピニングリールのローター。
【請求項４】
前記円筒状部材を、ローター胴部より比重の小さい材料で形成したことを特徴とする請求項１または請求項２、請求項４に記載の魚釣用スピニングリールのローター。
【発明の詳細な説明】
【技術分野】
【０００１】
本発明は、ハンドルの回転操作に伴いローターが回転し、釣糸がスプールに巻回される魚釣用スピニングリールに関する。
【背景技術】
【０００２】
従来周知のように魚釣用スピニングリールは、ハンドルの回転操作によりローターに設けられたベール支持部材を介してスプールに釣糸の巻き取りを行う。またこのベールを反転してキャスティングするとスプールに巻かれた釣糸をスパイラル状に放出する。
【０００３】
前記ローターは、ピニオンギヤの外部に固定された前部板状部とそれに続き内部部材をカバーする胴部、その胴部に固定されベールが取り付けられる一対の耳部とで構成されている。
そして、リールの軽量化のためにローター胴部に複数の孔をあけた構造、もしくは肉厚を薄くしたものが採用されている。
【発明の概要】
【発明が解決しようとする課題】
【０００４】
しかしながら、前記複数の孔をあけたローターや肉厚を薄くしたローターを用いると、胴部の強度が著しく低下する問題があった。このため、大きな魚が釣針にかかって強い力で釣糸を巻き取る場合などに、ローター胴部が変形しローターの一部が本体やスプールと接触して巻き取り不可能な状態に陥ることがあった。また、孔部から異物が内部へ侵入することにより内部機構にダメージを与えることがあった。
本発明は、かかる実情に鑑みて案出されたもので、ローターの軽量化を確保しつつ、ローターの胴部の強度を維持することを目的とする。また、異物のローター内部への侵入を防ぐことも目的とする。
【課題を解決するための手段】
【０００５】
斯かる目的を達成するために、請求項１による発明は、リール本体に回転可能に支持されたローターの胴部に軽量化のために貫通穴を設けたもの、もしくは肉厚を薄くしたものにおいて、強度維持のために円筒状部材を装着したことを特徴とする。
【０００６】
そして、請求項２に係る発明は、請求項１に記載のローターにおいて、固定部材をもちいて円筒状部材を胴部の内側に固定したことを特徴とする。
【０００７】
また、請求項３に係る発明は、請求項１に記載のローターにおいて、固定部材をもちいて円筒状部材を胴部の外側に固定したことを特徴とする。
【０００８】
さらに、請求項４に係る発明は、請求項１または請求項２もしくは請求項３に記載のスピニングリールのローターにおいて、前記円筒状部材をローター胴部より比重の小さい材料で形成したことを特徴とする。
【図面の簡単な説明】
【０００９】
【図１】請求項１及請求項３及請求項４の第一実施形態に係るローターを用いたスピニングリールの一部切欠き正面図である。
【図２】請求項１及請求項２及請求項４の第二実施形態に係るローターの一部切欠き正面図を示す。
【図３】請求項１及請求項２及請求項４の第三実施形態に係るローターの一部切欠き正面図を示す。
【図４】請求項１及請求項２及請求項４の第四実施形態に係るローターの一部切欠き正面図を示す。
【図５】請求項１及請求項２及請求項４の第五実施形態に係るローターの一部切欠き正面図を示す。
【図６】請求項１及請求項２及請求項４の第六実施形態に係るローターの一部切欠き正面図を示す。
【図７】請求項１及請求項２及請求項４の第七実施形態に係るローターの一部切欠き正面図を示す。
【図８】請求項１及請求項３及請求項４の第一実施形態に係るローターの正面断面図を示す。
【図９】請求項１及請求項３及請求項４の第八実施形態に係るローターの正面断面図を示す。
【図１０】請求項１及請求項３及請求項４の第九実施形態に係るローターの正面断面図を示す。
【図１１】請求項１及請求項３及請求項４の第十実施形態に係るローターの正面断面図を示す。
【図１２】請求項１及請求項３及請求項４の第十一実施形態に係るローターの正面断面図を示す。
【発明を実施するための形態】
【００１０】
以下、本発明の実施形態を図面に基づいて詳細に説明する。
図１は請求項１及請求項３及請求項４の第一実施形態に係るローターを用いたスピニングリールの一部切欠き正面図を示し、図に於いて、１はスピニングリールの本体組みである。２のローター組は、本体組前方に回転可能に取り付けられている。3のスプール組は、そのローター組の前方に本体組内部のカムによって前後運動するスプール軸に取り付けられている。この手のリールに於いて全体の重量を軽減することは、操作性の向上と疲労の軽減にとって重要である。リール全体の重量を軽減するために、ローター胴部に孔を開ける，もしくは肉厚を薄くすることがよく行われている。
【００１１】
図２は、請求項１及請求項２及請求項４の第二実施形態に係るローターの一部切欠き正面図を示す。図中でローター前方のスプール側は上方に、ローター後方のリール本体側は下方に示されている。図中４はローターであり、中央から右側は外形図、左側半分は断面図である。ローター中央部の円筒状の胴部には軽量化のために複数個の貫通孔８が開いている。しかしこのような場合、ローター胴部の強度低下を招き、大きな魚が釣り針にかかった時やリールを落下した時などのように大きな力がかかった場合にローターが変形し、ローターの一部がリール本体やスプールに接触し、ローターが回転不能となり、スプールに釣り糸が巻けなくなる事がある。また、貫通孔の部分から水や塵がローター内部に侵入し、内部のストッパーなどの部品を腐食させたり、海水の塩分が固着したり、塵が部品について部品が動作できなくなりその機能を作動不能にすることもある。本考案はこの点を鑑み、ローター胴部の内側に円筒状部材５をいれ、ローター胴部の強度低下を防ぐとともにローター内部の部品を水や塵から保護することにある。図中６はその円筒状部材５がローターから脱落しないように保持するための固定部材である。この固定部材６は、円筒状であり円筒部材５を保持するためにローターの胴部の開口部側の外径は、円筒状部材５の外径とほぼ同じになっている。また、それに続く部分は、５の円筒状部材の内径に沿って筒状になっている。さらに、開口部と反対側には複数個の柄状部分があり複数個の固定ねじ７でローター内側前方に固定されている。また、この固定ねじ７の代わりに固定ピンをローターの孔に圧入して固定部材をローターに固定しても良い。また、この円筒状部材５を直径方向、外周方向、幅方向に分割しても良い。さらに、この分割した部材に素材の違うものや色の違うものなどを用いれば、意匠性の向上もできる。また、孔部の全てを円筒状部材で塞がず、一部分穴が開いたまま残しても良い。
【００１２】
尚、このローター４は、従来と同様アルミニウムやマグネシウム等の金属で形成されている。円筒状部材は、ローターの胴部より比重の小さなカーボン繊維等の強化繊維で補強されたFRPで形成されている。このことにより、ローターの重量を増加させることなくローターの胴部の強度を維持することが出来る。
【００１３】
さらに、このローター４の胴部がガラス繊維等の強化繊維で補強された樹脂で形成されている場合も、より比重の軽いカーボン繊維等の強化繊維で補強されたFRPで形成された円筒状部材を用いれば、ローターの重量を増加させることなくローターの胴部の強度を維持することが出来る。
【００１４】
また、この円筒状部材はチタン等の超高強度の金属部材の薄板によって形成しても良い。この場合もローター４の胴部の強度が維持でき、かつローターの胴部の重量が軽くなるように板厚をとれば、ローターの重量を増加させることなくローターの胴部の強度を維持することができる。
【００１５】
図３は、請求項１及請求項２及請求項４の第三実施形態に係るローターの一部切欠き正面図を示す。図中１０は円筒状部材であり、固定部材を使用せず複数の固定ピン１１のローターの孔への圧入にてローター９の内側に直接に固定されている。また、この固定ピン１１は、固定ねじを使用してローターに固定してもよい。この実施形態の場合のように、円筒状部材と固定部材が一体となっていてもよい。
【００１６】
図４は、請求項１及請求項２及請求項４の第四実施形態に係るローターの一部切欠き正面図を示す。ローター１３の内部に挿入された図中１４の円筒状部材を１６の固定部材にてローターから脱落しないように固定されている。この固定部材は、複数の固定ピン１５をこの固定部材とローター胴部内側に本体側から圧入することでローターに固定されている。また、この固定部材を固定する方向は、ローター胴部の直径方向すなわち外側から内側に、もしくは内側から外側に向けて固定ピンを挿入してかしめても良い。またこの固定ピン１５は、代わりに固定ねじを用いて固定しても良い。
【００１７】
図５は、請求項１及請求項２及請求項４の第五実施形態に係るローターの一部切欠き正面図を示す。ローター内部に挿入された図中１９の円筒状部材を２０の固定部材にてローターから脱落しないように固定されている。この固定部材２０には、その外周にねじ部２１がありローター内部にあるそれに対応したねじ部に着脱可能に固定されている。
【００１８】
図６は、、請求項１及請求項２及請求項４の第六実施形態に係るローターの一部切欠き正面図を示す。図中２４の円筒状部材の外周にねじ部２５があり、ローターの胴部内側にあるそれに対応したねじ部に着脱可能に固定されている。この実施形態の場合のように、円筒状部材と固定部材が一体となっていてもよい。
【００１９】
図７は、、請求項１及請求項２及請求項４の第７実施形態に係るローターの一部切欠き正面図を示す。図中２８の円筒状部材は、ローター２７の成型時にインサート成型されている。このローターは、樹脂もしくは金属製で、金型を使用した成型にて作成されている。２８の円筒状部材をインサート成型することにより、特別な固定部材を用いることなくローター胴部の強度低下防止と意匠性の向上が出来る。
【００２０】
図８は、請求項１及請求項３及請求項４の第一実施形態に係るローターの正面図断面図を示す。この図８は、図１のローター部の詳細図である。ローターの胴部を軽量化のために、薄くしたり、孔を開けたりしたことによる強度低下を、３１の円筒状固定部材をローターの胴部外周に３２の固定部材を用いて固定することで防止している。尚この固定部材３２は、複数の３３の固定ピンのローター孔への圧入にてローター前方に固定されている。また、この円筒状部材をローターの胴部に固定することにより、意匠性の向上もできる。さらに、この円筒状上部材は、直径方向、円周方向、幅方向に複数に分割されていても良い。この分割した部材に素材の違うものや色の違うものなどを用いれば、さらに意匠性の向上もできる。
【００２１】
尚、この図８のローターは、従来と同様アルミニウムやマグネシウム等の金属で形成されている。図中３１の円筒状部材は、ローター３０の胴部より比重の小さなカーボン繊維等の強化繊維で補強されたFRPで形成されている。このことにより、ローターの重量を増加させることなくローターの胴部の強度を維持することが出来る。
【００２２】
さらに、このローターの胴部がガラス繊維等の強化繊維で補強された樹脂で形成されている場合も、より比重の軽いカーボン繊維等の強化繊維で補強されたFRPで形成された円筒状部材を用いれば、ローターの重量を増加させることなくローターの胴部の強度を維持することが出来る。
【００２３】
また、この円筒状部材はチタン等の超高強度の金属部材の薄板によって形成しても良い。この場合もローターの胴部の強度が維持でき、かつローターの胴部の重量が軽くなるように板厚をとれば、ローターの重量を増加させることなくローターの胴部の強度を維持することができる。
【００２４】
図９は、請求項１及請求項３及請求項４の第八実施形態に係るローターの正面図断面図を示す。ローターの胴部外周部に図中３５の円筒状部材を装着している。ローター３４の前部の外周傍３７にある図中３６の複数個の固定ねじを強く締め付けるとローターの固定ねじ外周部の樹脂や金属が外側に膨らむことによって円筒状部材３５に内側から外側向かって力がかかり円筒状部材３５が前方に脱落しないように固定される。
【００２５】
図１０は、請求項１及請求項４の第九実施形態に係るローターの正面図断面図を示す。ローター３８の胴部外周部に装着した図中３９円筒状部材内側にねじ部４０を設け、ローターの胴部外周に設けたねじ部に着脱自在に固定されている。
【００２６】
図１１は、請求項１及請求項３及請求項４の第十実施形態に係るローターの正面図断面図を示す。図中４２の円筒状部材は、ローター４１の成型時にインサートされている。このローターは、樹脂もしくは金属の金型による成型にて作成されている。４２の円筒状部材をインサート成型することにより、特別な固定部材を用いることなくローター胴部の強度低下防止と意匠性の向上が出来る。
【００２７】
図１２は、請求項１及請求項３及請求項４の第十一実施形態に係るローターの正面図断面図を示す。ローター４３の胴部外周部に装着した４４の円筒状部材を複数の４５の固定ピンをローターの孔に圧入することによってローターの胴部外周に固定している。この場合、固定ピン４５の代わりにねじを用いて固定しても良い。
【符号の説明】
【００２８】
１  リール本体組
２  ローター組
３  スプール組
４，９，１３，１８，２３，２７，３０，３４，３８，４１，４３  ローター
５，１０，１４，１９，２４，２８，３１，３５，３９、４２，４４  円筒状部材
６，１６，２０，３２  固定部材
７  固定ねじ
８，１２，１７，２２，２６，２９  貫通孔
１１，１５，３３，３６，４５  固定ピン
２１，２５，４０  ねじ部
３７  ローター前部の外周傍
【図１】
2010172222.tif 000003
【図２】
2010172222.tif 000004
【図３】
2010172222.tif 000005
【図４】
2010172222.tif 000006
【図５】
2010172222.tif 000007
【図６】
2010172222.tif 000008
【図７】
2010172222.tif 000009
【図８】
2010172222.tif 000010
【図９】
2010172222.tif 000011
【図１０】
2010172222.tif 000012
【図１１】
2010172222.tif 000013
【図１２】
2010172222.tif 000014